(57)【要約】【課題】複数のエアフィルタが連接される連結ユニットにおいて、エアフィルタ同士の連結・切り離しを容易にするとともに気密性を高める。【解決手段】隣り合うエアフィルタ１５、１５の右側側板１８Ｒと左側側板１８Ｌとを連結して連結ユニットを構成する。側板１８Ｒ、１８Ｌの外壁面に、側板全長に亘り延在するＬ字断面形状を有する連結部材１９Ｒ、１９Ｌをそれぞれ設ける。連結部材１９Ｒ、１９Ｌにおいて、側板１８Ｒ、１８Ｌから垂直に延出する基部２１Ｒ、２１Ｌの先端から側板１８Ｒ、１８Ｌに平行に延出する係合部２２Ｒ、２２Ｌの内側面に、シール部材２３を側板全長に亘り設ける。エアフィルタ１５、１５同士を前後方向にスライドさせることで連結部材１９Ｒ、１９Ｌの係合部２２Ｒ、２２Ｌを噛み合わせ、シール部材２３を係合部２２Ｒ、２２Ｌの間に圧縮された状態で挟み込むことで、エアフィルタ１５、１５を気密的に連結する。【選択図】図３
2016052645.tif 000002
【特許請求の範囲】
【請求項１】
連接して使用されるエアフィルタのフィルタ枠であって、
前記フィルタ枠の側板の外壁面が、連接されるエアフィルタとの係合に使用され、前記側板の長手方向全長に亘って延在する連結部材を備え、
前記連結部材は、前記外壁面から直立する基部と、前記基部の先端から前記外壁面に平行に延出する係合部を備え、その断面形状はＬ字形状を呈し、
前記係合部の前記外壁面に対面する面、前記係合部の前記外壁面とは反対側の面、あるいは前記外壁面の前記係合部に対面する領域の何れかに、前記長手方向全長に亘ってシール部材が設けられる
ことを特徴とするフィルタ枠。
【請求項２】
前記シール部材が、前記係合部の前記外壁面に対面する面に設けられ、前記シール部材と前記外壁面との間の距離が前記係合部の厚さよりも狭くなるように設定されることを特徴とする請求項１に記載のフィルタ枠。
【請求項３】
請求項１〜請求項２の何れか一項に記載のフィルタ枠に、前記濾材パックが装填されたことを特徴とするエアフィルタ。
【発明の詳細な説明】
【技術分野】
【０００１】
本発明は、連接して使用されるエアフィルタのフィルタ枠に関し、特にフィルタ枠同士の連結部におけるシール機構に関する。
【背景技術】
【０００２】
空調やクリーンルームなどの給排気システムで使用されるフィルタ装置では、矩形のフィルタ枠内に濾材パックを配置したエアフィルタが広く使用されている。また、大型のフィルタ装置の中には、複数のエアフィルタを側方に連接し、一体的な連結ユニットとして使用するものがある。このようなフィルタ装置では、エアフィルタの着脱は連結ユニットを単位に行われる。
【０００３】
エアフィルタ同士の連結方法としては、例えばフィルタ枠の側板同士を粘着テープで接着する方法がある（特許文献１）。また、対面するフィルタ枠側板にそれぞれＬ字断面形状を有する連結部材を設け、これらを噛み合わせることでフィルタ枠の側板同士を連結する方法も存在する（特許文献２）。
【先行技術文献】
【特許文献】
【０００４】
【特許文献１】実開平５−１８６２２号公報
【特許文献２】特開２００２−２３９３２５号公報
【発明の概要】
【発明が解決しようとする課題】
【０００５】
しかし、特許文献１の連結方法では、連結部における気密性が確保されるものの、エアフィルタ同士の連結、切り離しが容易ではなく、また連結強度も十分とは言えない。一方、特許文献２の連結方法は、連結、切り離し作業が容易であり、連結強度も高いものの連結部の気密性が低く、フィルタ装置としての性能を低下させてしまう。
【０００６】
本発明は、複数のエアフィルタが連接される連結ユニットにおいて、エアフィルタ同士の連結・切り離しを容易にするとともに気密性を高めることを課題としている。
【課題を解決するための手段】
【０００７】
本発明のフィルタ枠は、連接して使用されるエアフィルタのフィルタ枠であって、フィルタ枠の側板の外壁面が、連接されるエアフィルタとの係合に使用され側板の長手方向全長に亘って延在する連結部材を備え、連結部材は、外壁面から直立する基部と、基部の先端から外壁面に平行に延出する係合部を備え、その断面形状はＬ字形状を呈し、係合部の外壁面に対面する面、係合部の外壁面とは反対側の面、あるいは外壁面の前記係合部に対面する領域の何れかに、長手方向全長に亘ってシール部材が設けられることを特徴としている。
【０００８】
例えばシール部材は、係合部の外壁面に対面する面に設けられ、シール部材と外壁面との間の距離が係合部の厚さはよりも狭くなるように設定される。
【０００９】
本発明のエアフィルタは、上記何れかに記載のフィルタ枠に、濾材パックを装填したことを特徴としたものである。
【発明の効果】
【００１０】
本発明によれば、エアフィルタ同士の連結・切り離しを容易にするとともに気密性を高めることができる。
【図面の簡単な説明】
【００１１】
【図１】本発明の一実施形態であるエアフィルタの連結ユニットを使用するフィルタ装置の斜視図（一部透過図）である。
【図２】第１実施形態の連結ユニットの水平横断面図である。
【図３】図２のエアフィルタ連結部近傍の拡大図である。
【図４】第２実施形態のエアフィルタ連結部近傍の拡大図である。
【図５】第３実施形態のエアフィルタ連結部近傍の拡大図である。
【発明を実施するための形態】
【００１２】
以下、本発明の実施の形態を、図面を参照して説明する。図１は、本発明の第１実施形態であるエアフィルタが装着される空調機（フィルタ装置）の斜視図である。
【００１３】
空調機１０の流路は上流側と下流側が当たり枠１１により隔てられる。当たり枠１１の中央には、横長の長方形開口部１２が設けられる。当たり枠１１には、エアフィルタを当たり枠１１に密接させて保持するためのガイド部材１３、１４が開口部１２の上下に設けられる。すなわち、ガイド部材１３は開口部１２の上辺に平行に設けられ、ガイド部材１４は、開口部１２の下辺に平行に設けられる。ガイド部材１３、１４は、例えばコの字横断面形状を有し、コの字の開口部が互いに相対するように配置される。
【００１４】
エアフィルタ１５は、横方向に複数を連結した連結ユニット１６を単位にガイド部材１３、１４に着脱される。図１の例では、連結ユニット１６が２つのエアフィルタ１５から構成される。空調機１０の側面であって、ガイド部材１３、１４に対応する位置には、エアフィルタ交換用の開口（図示せず）が設けられる。同開口は通常は扉（図示せず）により閉塞されているが、エアフィルタ交換時には開放され、連結ユニット１６はこの開口を通して側方からガイド部材１３、１４に装着され、あるいは取り外される。すなわち、エアフィルタ１５の厚さは、ガイド部材１３、１４が形成するコの字の溝幅に適合されており、連結ユニット１６は、ガイド部材１３、１４が形成するコの字の溝に嵌め合わされ、同溝内をスライドされる。なお、連結ユニット１６は、ガイド部材１３、１４内において適正位置に配置されると、図示しない締結機構により当たり枠１１に押し当てることができ、当たり枠１１に気密的に固定される。
【００１５】
エアフィルタ１５は、天板、地板、および一対の側板からなる矩形のフィルタ枠１５Ｆと濾材パック１７とからなり、濾材パック１７はフィルタ枠１５Ｆ内に保持される。濾材パック１７は、シート状の濾材をプリーツ状に折り畳んで構成され、濾材にはガラス繊維等からなる濾紙や、ポリエステル等からなる不織布が用いられる。
【００１６】
図２は、図１の連結ユニット１６の水平断面図である。図２に示されるように、フィルタ枠１５Ｆの左右の側板１８Ｌ、１８Ｒには、それぞれ連結部材１９Ｌ、１９Ｒが設けられる。連結ユニット１６を構成するエアフィルタ１５同士の連結は、図２において左側のエアフィルタ１５の右側側板１８Ｒに設けられる連結部材１９Ｒと、右側のエアフィルタ１５の左側側板１８Ｌに設けられる連結部材１９Ｌを嵌合させることで行われる。なお、両エアフィルタ１５のフィルタ枠１５Ｆの当たり枠１１に当接される当て付け面にはパッキン２０が貼着される。
【００１７】
図３は、連結ユニット１６の連結部を拡大した拡大断面図である。なお図３では、連結ユニット１６を構成するエアフィルタ１５、１５同士が連結されていない状態で示される。図３に示されるように、側板１８Ｌ、１８Ｒは、それぞれコの字断面形状を有し、その内側にプリーツ状の濾材パック１７が装填されている。図示例では、側板１８Ｌの外壁面に一対の連結部材１９Ｌ、これに対面する側板１８Ｒの外壁面に、一対の連結部材１９Ｒが設けられる。連結部材１９Ｌ、１９Ｒは、外壁面から直立する基部２１Ｌ、２１Ｒと、基部２１Ｌ、２１Ｒの先端から外壁面に平行に延出する係合部２２Ｌ、２２Ｒとを備え、その断面形状はＬ字形状を呈する。連結部材１９Ｌ、１９Ｒは、それぞれ側板１８Ｌ、１８Ｒの長手方向全長に亘って延在する。
【００１８】
連結部材１９Ｌ、１９Ｒは、断面形状をなすＬ字が互いに逆方向を向くように設けられ、エアフィルタ１５、１５の連結は２つのエアフィルタ１５の側板を隣り合わせで配置し、エアフィルタ１５の一方を他方に対して前後方向（図３の上下方向）にずらし、Ｌ字断面形状を有する連結部材１９Ｌ、１９Ｒを嵌め合わすことで行われる。すなわち係合部２２Ｌを係合部２２Ｒと側板１８Ｒの間に挿入し、係合部２２Ｒを係合部２２Ｌと側板１８Ｌの間に挿入することで連結部材１９Ｌ、１９Ｒは嵌め合わされる。連結が完了すると、係合部２２Ｌ、２２Ｒの先端は、基部２１Ｒ、２１Ｌに近接または当接し、両エアフィルタ１５、１５の当て付け面は、略同一面内に配置される。
【００１９】
また、本実施形態では、係合部２２Ｌ、２２Ｒの側板１８Ｌ、１８Ｒの外壁面に対面する内側面には、側板長手方向全長に亘ってゴムやウレタンなどの弾性部材からなるシール部材２３が設けられる。シール部材２３は、例えば係合部２２Ｌ、２２Ｒの先端部近傍に配置され、シール部材２３の厚さは、シール部材２３と側板１８Ｌ、１８Ｒとの間の距離が、係合部２２Ｌ、２２Ｒの厚さよりも狭くなるように設定される。すなわち、連結部材１９Ｌ、１９Ｒ同士の連結作業では、係合部２２Ｌ、２２Ｒが連結部材１９Ｌ、１９ＲのＬ字開口部にそれぞれ挿入されると、係合部２２Ｌのシール部材２３と係合部２２Ｒのシール部材２３は互いに圧縮され、相手を乗り越える。
【００２０】
連結完了時、係合部２２Ｌのシール部材２３は、係合部２２Ｌと係合部２２Ｒの内側面との間に挟まれ圧縮され、係合部２２Ｒのシール部材２３は、係合部２２Ｒと係合部２２Ｌの内側面との間に挟まれ圧縮される。すなわち、連結ユニット１６において、エアフィルタ１５、１５同士の間の隙間は、シール部材２３によりシールされ、両エアフィルタ１５、１５は気密的に連接される。また、エアフィルタ１５、１５同士が押されると、係合部２２Ｌは、側板１８Ｒの外壁面に当接し、係合部２２Ｒは、側板１８Ｌの外壁面に当接する。
【００２１】
以上のように、第１実施形態によれば、連結するエアフィルタの側板同士を隣り合わせに配置し、エアフィルタを前後方向にスライドさせるだけで簡単にエアフィルタ同士の連結を確りと行うことができるとともに、シール部材によりエアフィルタ間において高い気密性が確保される。また、本実施形態では、エアフィルタ同士が押されると、各係合部が側板の外壁面に直接当接するので、各エアフィルタの位置決め精度が高まるとともに、連結ユニット１６の寸法精度も高まる。
【００２２】
次に図４を参照して、第２実施形態のエアフィルタの構成について説明する。第２実施形態のエアフィルタの構成は、シール部材に関わる構成が第１実施形態と異なるが、その他の構成は第１実施形態と同様である。以下の説明において、第１実施形態と同様の構成に関しては、同一参照符号を用いその説明を省略する。
【００２３】
図４は、第１実施形態の図３に対応する図である。第１実施形態においてシール部材２３は、各係合部２２Ｌ、２２Ｒの先端に設けられ、連結時、シール部材２３は係合部２２Ｌ、２２Ｒの間に挟まれた。一方、第２実施形態では、図４に示されるようにシール部材２４は、係合部２２Ｌ、２２Ｒの内側面の略全体を被覆する。そのため、連結部材１９Ｌ、１９Ｒが噛み合わされると、係合部２２Ｌおよび係合部２２Ｒに取り付けられたシール部材２４、２４が互いに重ねられて係合部２２Ｌ、２２Ｒの間に挟まれる。シール部材２４の厚さは、それぞれ係合部２２Ｌ、２２Ｒと側板１８Ｌ、１８Ｒの外壁面との間の距離の１／２よりも厚く設定される。すなわち、連結部材１９Ｌ、１９Ｒが嵌合されると、シール部材２４、２４は、係合部２２Ｌ、２２Ｒの間で圧縮され、両者の間は気密的にシールされる。
【００２４】
以上のように、第２実施形態においても、第１実施形態と同様の効果を得ることができる。
【００２５】
次に図５を参照して、第３実施形態のエアフィルタの構成について説明する。第３実施形態のエアフィルタの構成は、シール部材に関わる構成が第１実施形態と異なるが、その他の構成は第１実施形態と同様である。以下の説明において、第１実施形態と同様の構成に関しては、同一参照符号を用いその説明を省略する。
【００２６】
第１実施形態ではシール部材２３は、各々の係合部２２Ｌ、２２Ｒの全てに設けられた。一方、第３実施形態では、係合部２２Ｒにのみシール部材２５が設けられる。すなわち、シール部材２５は、例えば右側板１８Ｒに設けられた一対の係合部２２Ｒの内側面にのみ、側板長手方向全長に亘って設けられる。シール部材２５の厚さは、第１実施形態と同様である。すなわち連結完了時、エアフィルタ１５、１５間の気密性は、係合部２２Ｒ、２２Ｌの間で、係合部２２Ｒに設けられたシール部材２５が圧縮されることにより維持される。
【００２７】
第１実施形態に比べ気密性が若干低下する可能性はあるが、第３実施形態でも第１実施形態と同様の効果を得ることができる。また第３実施形態では、シール部材の数が少ないので、コストの削減が可能である。
【００２８】
なお、本実施形態では、シール部材が全て係合部の側板の外壁面と対面する面に設けられたが、係合部の反対側の面や、係合部と対面する側板の外壁面に設けることも可能である。このような構成の場合、エアフィルタ同士が押圧されると、シール部材も押圧される。そのため連結ユニットを空調機に装着し、エアフィルタ同士が押圧された状態にすると、気密性が更に高められる。ただし、第１〜第３実施形態に比べ、エアフィルタの位置決め精度、連結ユニットの寸法精度は低下する。
【００２９】
フィルタ枠は、連結部材を含めた形状でアルミ押し出しにより形成してもよいが、連結部材をＺ曲げされた板材で構成し、これを溶接やリベットにより左右の側板に取り付けてもよい。また、本実施形態では、各側板に連結部材が一対設けられたが、各側板に設けられる連結部材の数は、１つでも３以上でもよく、シール部材を設ける連結部材をその内の１つとしてもよい。
【００３０】
本実施形態では、２つのエアフィルタが連接されて連結ユニットとされたが、３以上のエアフィルタを同様に連接して１つの連結ユニットとしてもよい。
【符号の説明】
【００３１】
１０  空調機
１１  当たり枠
１２  開口部
１３  ガイド部材
１４  ガイド部材
１５  エアフィルタ
１５Ｆ  フィルタ枠
１６  連結ユニット
１７  濾材パック
１８Ｌ、１８Ｒ  側板
１９Ｌ、１９Ｒ  連結部材
２０  パッキン
２１Ｌ、２１Ｒ  基部
２２Ｌ、２２Ｒ  係合部
２３、２４、２５  シール部材
【図１】
2016052645.tif 000003
【図２】
2016052645.tif 000004
【図３】
2016052645.tif 000005
【図４】
2016052645.tif 000006
【図５】
2016052645.tif 000007